【手続補正書】
【提出日】平成25年3月13日(2013.3.13)
【手続補正１】
【補正対象書類名】特許請求の範囲
【補正対象項目名】全文
【補正方法】変更
【補正の内容】
【特許請求の範囲】
【請求項１】
骨内の骨内神経を除神経する装置において、
長手方向の軸と、遠位端部分と、近位端部分と、当該近位端部分から延在する長手方向のボアとを持つシャフトと、を備えた固定プローブ、および
長手方向の軸と、近位端部分と、前記固定プローブに回動可能に取り付けられている遠位端部分と、を持つシャフトを備えた、回動可能なプローブ
を備え、
前記固定プローブが、電源での電気的接続のための第１の電極を有し、前記回動可能なプローブのシャフトが、電源との電気的接続のための第２の電極を有し、
前記固定プローブが、当該固定プローブのシャフト中に、前記回動可能なプローブを収容するための横方向の開口を形成する凹部を備える、装置。
【請求項２】
請求項１に記載の装置において、前記回動可能なプローブが、展開モードと非展開モードとを持つ、装置。
【請求項３】
請求項２に記載の装置において、前記非展開モードでは、前記回動可能なプローブのシャフトの前記軸が、前記固定プローブのシャフトの前記軸と本質的に同一線上にあるように、前記回動可能なプローブが、前記固定プローブの凹部に配置される、装置。
【請求項４】
請求項３に記載の装置において、前記展開モードでは、前記回動可能なプローブのシャフトの前記軸が、前記固定プローブのシャフトの前記軸に対して少なくとも１０度の角度をなすように、前記回動可能なプローブが、前記固定プローブからある角度を持って延在する、装置。
【請求項５】
背中の痛みを治療するために椎体を治療的に加熱するシステムにおいて、
前記椎体の外側の皮質骨領域を通って前記椎体の内側の海綿骨領域に挿入されるように構成された、湾曲したボアを持つカニューレ、および
作用電極と、戻り電極と、を持つ、双極無線周波数（ＲＦ）エネルギー伝達プローブ
を備え、
前記ＲＦエネルギー伝達プローブが、前記カニューレの中央通路に挿入されるように寸法が決められ構成され、
前記カニューレが、前記椎体の正中線に向かって前記ＲＦエネルギー伝達プローブをガイドするように成形され、
前記エネルギー伝達プローブが前記椎体の前記内側の海綿骨領域内を前進するときに、前記作用電極および戻り電極が前記椎体の前記正中線の両側にくるような位置に、前記作用電極および戻り電極が配置され、
前記作用電極および戻り電極が、前記椎体内部の椎体神経を切断するのに十分な無線周波数エネルギーを、前記椎体神経に伝達するように構成される、システム。
【請求項６】
請求項５に記載のシステムにおいて、前記無線周波数エネルギーの周波数が、約４００ｋＨｚ〜６００ｋＨｚである、システム。
【請求項７】
請求項５または６に記載のシステムにおいて、前記無線周波数エネルギーが、８０℃〜９５℃の温度で伝達されるように構成される、システム。
【請求項８】
背中の痛みを治療するために椎体を治療的に加熱するシステムにおいて、
前記椎体の外側の皮質骨領域を通って前記椎体の内側の海綿骨領域に挿入されるように構成された、湾曲したボアを持つカニューレ、および
２つの電極を持つ柔軟な無線周波数エネルギー伝達プローブであって、前記カニューレの中央通路に挿入されるように寸法が決められ構成された、柔軟な無線周波数エネルギー伝達プローブ
を備え、
前記カニューレが、前記椎体の正中線に向かって前記エネルギー伝達プローブをガイドするように成形され、
前記エネルギー伝達プローブが前記椎体の前記内側の海綿骨領域内を前進するときに、前記２つの電極が前記椎体の両側にくるように、前記エネルギー伝達プローブの遠位端部の位置に、前記２つの電極が配置され、
前記２つの電極が、前記椎体内部の椎体神経を除神経するのに十分な無線周波数エネルギーを、前記椎体神経に伝達するように構成される、システム。
【請求項９】
請求項８に記載のシステムにおいて、前記エネルギー伝達プローブが、双極無線周波数装置を備え、前記２つの電極が、作用電極および戻り電極を備える、システム。
【請求項１０】
請求項８または９に記載のシステムにおいて、前記無線周波数エネルギーの周波数が、約４００ｋＨｚ〜６００ｋＨｚである、システム。
【請求項１１】
請求項８〜１０のいずれか１項に記載のシステムにおいて、前記無線周波数エネルギーが、８０℃〜９５℃の温度を有する、システム。
【請求項１２】
背中の痛みを治療するために椎体を治療的に加熱するシステムにおいて、
前記椎体の外側の皮質骨領域を通って前記椎体の内側の海綿骨領域に挿入されるように構成された、湾曲したボアを持つカニューレ、
２つの電極を持つ柔軟なエネルギー伝達プローブであって、前記カニューレの中央通路に挿入されるように寸法が決められ構成された、柔軟なエネルギー伝達プローブ、および
前記２つの電極に接続されたエネルギー伝達源
を備え、
前記エネルギー伝達プローブが前記椎体の前記内側の海綿骨領域内を前進するときに、第１の電極が前記椎体の第１の側面に配置されるよう構成され、かつ第２の電極が前記椎体の第２の側面に配置されるよう構成されるように、前記エネルギー伝達プローブの遠位端部の位置に、前記２つの電極が配置され、
前記２つの電極が、前記椎体内部の椎体神経を調節するのに十分な熱エネルギーを、前記椎体神経に伝達するように構成される、システム。
【請求項１３】
請求項１２に記載のシステムにおいて、前記エネルギー装置が、双極無線周波数装置を備え、前記２つの電極が、作用電極および戻り電極を備える、システム。
【請求項１４】
請求項１２または１３に記載のシステムにおいて、前記エネルギーの周波数が、約４００ｋＨｚ〜６００ｋＨｚである、システム。
【請求項１５】
請求項１２〜１４のいずれか１項に記載のシステムにおいて、前記熱エネルギーが、８０℃〜９５℃の温度を有する、システム。
【請求項１６】
請求項１２〜１５のいずれか１項に記載のシステムにおいて、前記無線周波数エネルギーが、前記椎体神経を除神経するのに十分である、システム。
【請求項１７】
背中の痛みを治療するために椎体を治療的に加熱するシステムにおいて、
椎体内部の椎体神経の目標の位置を加熱するためにエネルギーを伝達するように構成された、エネルギー伝達装置、および
カニューレであって、内部通路と、前記カニューレの遠位端部における遠位開口と、を持つ、カニューレ
を備え、
前記カニューレの遠位端部が、湾曲しており、
前記内部通路の直径が、前記エネルギー装置を受容するように構成され、
前記カニューレの前記遠位開口が、前記エネルギー装置が前記カニューレの前記遠位端部を過ぎて前進する際に前記エネルギー装置用の作業ポータルを提供し、
前記カニューレが、前記エネルギー伝達装置による前記椎体内部の前記目標の位置へのアクセスを提供するのに十分な長さを有し、
前記目標の位置が、前記椎体の内側の海綿骨領域内部にあり、
前記エネルギーが、前記目標の位置で椎体神経を除神経するのに十分なほど前記目標の位置を加熱するように構成される、システム。
【請求項１８】
請求項１７に記載のシステムにおいて、前記エネルギー伝達装置が、少なくとも１つの電極を備える双極無線周波数プローブを備える、システム。
【請求項１９】
請求項１８に記載のシステムにおいて、前記双極無線周波数プローブが、作用電極および戻り電極を備える、システム。
【請求項２０】
請求項１７〜１９のいずれか１項に記載のシステムにおいて、前記目標の位置が、前記椎体の椎体神経の接合部と外側の皮質骨領域との間の、かつ前記椎体神経の接合部および外側の皮質骨領域を除いた、前記椎体の前記内側の海綿骨領域内部にある、システム。
【請求項２１】
請求項１７〜２０のいずれか１項に記載のシステムにおいて、前記目標の位置が、前記椎体の前記内側の海綿骨領域内部、かつ前記椎体神経の接合部の近位にある、システム。
【請求項２２】
請求項１７〜２１のいずれか１項に記載のシステムにおいて、前記目標の位置が、前記椎体の前方端部と後方端部との間の距離の６０％〜９０％の範囲内に位置する前記椎体の領域にある、システム。